(57)【要約】【課題】ピット蓋を開ける際にピット蓋が落下するのを防止する。【解決手段】断面が略Ｕ字状で上部が開口したケーブルピットＰに対向する支持部材１１１が設けられ、この対向する支持部材１１１に架設される架設部材２と、架設部材２に連結され、架設部材２が支持部材１１１に架設された際に、支持部材１１１と隣接し、かつ、支持部材１１１と面一になってピット蓋を支持可能な隣接部材３と、を備える。【選択図】図１
2020129871.tif 000002
【特許請求の範囲】
【請求項１】
断面が略Ｕ字状で上部が開口したピットに対向する支持部が設けられ、該支持部とともに前記ピットの開口を塞ぐピット蓋を支持するピット蓋用支持具であって、
前記対向する支持部に架設される複数の架設部と、
前記複数の架設部に連結され、前記複数の架設部が前記支持部に架設された際に、前記支持部と隣接し、かつ、前記支持部と面一になって前記ピット蓋を支持可能な隣接部と、
を備えることを特徴とするピット蓋用支持具。
【請求項２】
前記支持部の上側に位置する前記ピット蓋の一端側を持ち上げた際に、前記一端側に対向する前記ピット蓋の他端側の移動を規制する規制部を備える、
ことを特徴とする請求項１に記載のピット蓋用支持具。
【請求項３】
前記規制部は、前記架設部と前記隣接部とを締結する締結部材で構成されている、
ことを特徴とする請求項２に記載のピット蓋用支持具。
【請求項４】
断面が略Ｕ字状で上部が開口したピットに対向する支持部が設けられ、該支持部に請求項１〜３のいずれか１項に記載のピット蓋用支持具が配設された、
ことを特徴とするピット蓋用支持構造。
【発明の詳細な説明】
【技術分野】
【０００１】
本発明は、ピットを塞ぐピット蓋を支持するピット蓋用支持具およびピット蓋用支持構造に関する。
【背景技術】
【０００２】
例えば、電力や通信用のケーブルなどを収容するケーブルピットは、作業性などを考慮して、上部が開口した断面Ｕ字形に形成されている。このため、ケーブルピットの開口を塞ぐピット蓋が配置されており、このピット蓋は、コンクリートや鋼板などで形成され、その重量により浮き上がりや外れが防止されるようになっている（例えば、特許文献１参照。）。
【０００３】
また、このようなピット蓋は、ケーブルピットに設けられた平面状の支持部（受枠）で支持されている。例えば、山形鋼や鋼板で作られた支持部材がケーブルピットの側壁面から突出して配設され、この支持部材の上にピット蓋の端部を載置することで、ピット蓋が地面と面一に支持されている。また、ピット蓋の高さを調整したり、ピット蓋と支持部材とが直接接触することによる腐食を防止したりするために、ピット蓋の下面に支持下駄を設ける場合がある。
【先行技術文献】
【特許文献】
【０００４】
【特許文献１】特開２０１１−１５５２７号公報
【発明の概要】
【発明が解決しようとする課題】
【０００５】
ところで、ケーブルピット内の点検などの際には、ピット蓋を開けなければならないが、ピット蓋が重いため、ピット蓋の一端側を持ってピット蓋を持ち上げていた。例えば、図８に示すように、ピット蓋１０１の他端側の支持下駄１０３を支持部材１１１に載せた状態で、ピット蓋１０１の一端側を持ち上げてピット蓋１０１を開けていた。しかしながら、支持部材１１１の幅（ケーブルピットＰの側壁面からの突出量）が支持下駄１０３の幅と同程度と短いため、他端側の支持下駄１０３が支持部材１１１から外れてピット蓋１０１がケーブルピットＰ内に落下するおそれがあった。このため、作業者は、落下させないように気を使いながら重いピット蓋１０１を持ち上げなければならず、作業者に大きな負担となっていた。
【０００６】
そこで本発明は、ピット蓋を開ける際にピット蓋が落下するのを防止可能なピット蓋用支持具およびピット蓋用支持構造を提供することを目的とする。
【課題を解決するための手段】
【０００７】
上記課題を解決するために、請求項１の発明は、断面が略Ｕ字状で上部が開口したピットに対向する支持部が設けられ、該支持部とともに前記ピットの開口を塞ぐピット蓋を支持するピット蓋用支持具であって、前記対向する支持部に架設される複数の架設部と、前記複数の架設部に連結され、前記複数の架設部が前記支持部に架設された際に、前記支持部と隣接し、かつ、前記支持部と面一になって前記ピット蓋を支持可能な隣接部と、を備えることを特徴とする。
【０００８】
請求項２の発明は、請求項１に記載のピット蓋用支持具において、前記支持部の上側に位置する前記ピット蓋の一端側を持ち上げた際に、前記一端側に対向する前記ピット蓋の他端側の移動を規制する規制部を備える、ことを特徴とする。
【０００９】
請求項３の発明は、請求項２に記載のピット蓋用支持具において、前記規制部は、前記架設部と前記隣接部とを締結する締結部材で構成されている、ことを特徴とする。
【００１０】
請求項４の発明は、断面が略Ｕ字状で上部が開口したピットに対向する支持部が設けられ、該支持部に請求項１〜３のいずれか１項に記載のピット蓋用支持具が配設された、ことを特徴とするピット蓋用支持構造である。
【発明の効果】
【００１１】
請求項１および請求項４に記載の発明によれば、複数の架設部を支持部に架設すると、隣接部が支持部と隣接し、かつ、支持部と面一となる。つまり、支持部のみならず隣接部でもピット蓋を支持可能となり、ピット蓋を支持可能な支持面積が広がる。このため、ピット蓋の一端側を持ち上げてピット蓋を開ける際に、ピット蓋の他端側が支持部または隣接部から外れることが抑制され、ピット蓋がピット内に落下するのを防止することが可能となる。
【００１２】
請求項２に記載の発明によれば、ピット蓋の一端側を持ち上げた際に、ピット蓋の他端側の移動が規制部で規制されるため、ピット蓋の他端側が支持部または隣接部から外れるのを確実に防止することが可能となる。この結果、ピット蓋がピット内に落下するのをより確実に防止することが可能となる。
【００１３】
請求項３に記載の発明によれば、架設部と隣接部とを締結する締結部材で規制部が構成されている。つまり、締結部材が規制部を兼ねるため、別途規制部を設ける必要がなく、簡易な構成、構造にすることが可能となる。
【図面の簡単な説明】
【００１４】
【図１】この発明の実施の形態に係るピット蓋用支持具が配設されたピット蓋用支持構造を示す平面図である。
【図２】図１のピット蓋用支持具の平面図（ａ）と、正面図（ｂ）と、右側面図（ｃ）である。
【図３】この発明の実施の形態に係るピット蓋の配設状態を示す平面図である。
【図４】図３のＡ−Ａ断面図である。
【図５】図３のピット蓋を開けた状態を示すピットの平面図である。
【図６】図１のピット蓋用支持具で支持されたピット蓋の一端側を持ち上げた状態を示す断面図である。
【図７】図６におけるピット蓋の他端側を示す拡大図である。
【図８】従来において、ピット蓋の一端側を持ち上げた状態を示す断面図である。
【発明を実施するための形態】
【００１５】
以下、この発明を図示の実施の形態に基づいて説明する。
図１〜図７は、この発明の実施の形態を示し、図１は、この実施の形態に係るピット蓋用支持具１が配設されたピット蓋用支持構造を示す平面図である。このピット蓋用支持具１は、ケーブルピット（ピット）Ｐに設けられた支持部材（支持部）１１１とともに、ピット蓋１０１を支持する支持具である。まず、ケーブルピットＰおよびピット蓋１０１について説明する。
【００１６】
ケーブルピットＰは、断面が略Ｕ字状で上部が開口した長い溝で、電力や通信用のケーブルなどを敷設、収容するものであり、このケーブルピットＰの開口を塞ぐピット蓋１０１、１０２が複数配置されている。この実施の形態では、図３に示すように、鋼材を格子状に組んだグレーチングで構成されてケーブルピットＰ内を目視自在なピット蓋１０１と、ＦＲＰ（Ｆｉｂｅｒ  Ｒｅｉｎｆｏｒｃｅｄ  Ｐｌａｓｔｉｃｓ、繊維強化プラスチック）製でケーブルピットＰ内を目視できないＦＲＰ蓋（ピット蓋）１０２とが、次のように配置されている。ここで、ピット蓋１０１についてのみ説明するが、ＦＲＰ蓋１０２も同じ配置構造となっている。
【００１７】
すなわち、図４および図５に示すように、ケーブルピットＰの長手方向に延びる対向する側壁面から突出する支持部材（受枠）１１１が、対向して配設されている。この支持部材１１１は、山形鋼や鋼板で構成され、上面が平面状に形成されている。一方、ピット蓋１０１は、平面形状が略長方形状で、長手方向の両端側（短辺）の下面には、ピット蓋１０１の高さを調整したり、ピット蓋１０１と支持部材１１１とが直接接触することによる腐食を防止したりするために、支持下駄１０３が配設されている。この支持下駄１０３の幅（ピット蓋１０１の長手方向の長さ）と支持部材１１１の幅（ケーブルピットＰの側壁面からの突出量）は、同程度に設定されている。そして、この支持部材１１１の上に支持下駄１０３を載置することで、ピット蓋１０１が配置、支持され、ピット蓋１０１の上面が地面Ｇと略面一になるようになっている。
【００１８】
この実施の形態では、このようにして配置されたピット蓋１０１のみを点検時の開閉対象（ＦＲＰ蓋１０２は非対象）とし、ピット蓋１０１の下側にピット蓋用支持具１が配設される。
【００１９】
ピット蓋用支持具１は、図２に示すように、主として、２つの架設部材（架設部）２と、２つの隣接部材（隣接部）３と、これらを連結、締結するボルト（締結部材、規制部）４を備える。
【００２０】
架設部材２は、対向する支持部材１１１に架設される棒状の部材であり、断面が略Ｌ字状のアングル鋼で構成されている。この架設部材２の長さと厚みは、支持部材１１１間に架設した際に、ピット蓋１０１を支持できるだけの十分な強度、剛性が得られるように設定されている。また、２つの架設部材２は、互いの内角部（Ｌ字の内角）が向き合うように配置され、その配置間隔は、架設部材２間にピット蓋１０１が配置できるように設定されている。
【００２１】
隣接部材３は、２つの架設部材２に連結され、２つの架設部材２が支持部材１１１の上に架設された際に、支持部材１１１と隣接し、かつ、支持部材１１１と面一になってピット蓋１０１を支持可能な部材である。すなわち、断面が略Ｌ字状のアングル鋼で構成され、その長さは、架設部材２間の距離と同じ長さ、つまり、ピット蓋１０１の短辺とほぼ同じ長さに設定され、厚みは、ピット蓋１０１を十分に支持できるように設定されている。
【００２２】
このような２つの隣接部材３が、２つの架設部材２の端部側間を接続するように、かつ、互いの内角部（Ｌ字の内角）が向き合うように配置されている。さらに、図１、図６に示すように、２つの架設部材２を支持部材１１１に架設した状態で、隣接部材３が支持部材１１１と隙間なく隣接し、かつ、支持部材１１１の上面と隣接部材３の上面が面一になるように、架設部材２の下面に隣接部材３が配置されている。つまり、架設部材２を支持部材１１１に架設することで、隣接部材３の角部側が全長にわたって支持部材１１１の自由端縁と連接し、支持部材１１１と隣接部材３の上面で一体的な支持面が形成される。
【００２３】
また、架設部材２と隣接部材３には、その重なり部にそれぞれボルト挿入孔（図示せず）が形成されている。そして、図７に示すように、このボルト挿入孔にボルト４が挿入され、ボルト４にナット（締結部材）５が締め付けられることで、架設部材２と隣接部材３とが締結、連結されている。
【００２４】
また、ボルト４は、規制部を兼ねている。すなわち、図６に示すように、支持部材１１１の上側に位置するピット蓋１０１の一端側（一方の短辺）を持ち上げた際に、一端側に対向するピット蓋１０１の他端側（他方の短辺）の移動を規制する機能を備える。具体的には、図７に示すように、ピット蓋１０１の一端側を持ち上げた際に、ピット蓋１０１の他端側の支持下駄１０３（回転支点）がボルト４のヘッド部に当接し、支持下駄１０３がケーブルピットＰの内側に移動するのを防止するものである。ここで、図６、図７においては、図を簡略化してわかりやすくするために、隣接部材３を平板状に図示している。
【００２５】
このような構成のピット蓋用支持具１が支持部材１１１に載置、配設されて、つまり、対向する支持部材１１１の上に架設部材２が架設されて、ピット蓋用支持構造が構成されている。このような配設状態では、２つの架設部材２がそれぞれ隣接するＦＲＰ蓋１０２に接し、２つの隣接部材３がそれぞれ支持部材１１１に隣接して面一になる。ここで、ピット蓋用支持具１を支持部材１１１の上に載置しただけで、ピット蓋用支持具１を取り外し自在になっており、これにより、ケーブルピットＰ内での点検、作業を支障なく行えるものである。
【００２６】
以上のように、このピット蓋用支持具１およびピット蓋用支持構造によれば、複数の架設部材２を支持部材１１１に架設すると、隣接部材３が支持部材１１１と隣接し、かつ、支持部材１１１と面一となる。つまり、支持部材１１１のみならず隣接部材３でもピット蓋１０１を支持可能となり、ピット蓋１０１を支持可能な支持面積が広がる。このため、ピット蓋１０１の一端側を持ち上げてピット蓋１０１を開ける際に、ピット蓋１０１の他端側の支持下駄１０３が支持部材１１１または隣接部材３から外れることが抑制され、ピット蓋１０１がケーブルピットＰ内に落下するのを防止することが可能となる。
【００２７】
しかも、ピット蓋１０１の一端側を持ち上げた際に、ピット蓋１０１の他端側の移動がボルト４で規制されるため、ピット蓋１０１の他端側が支持部材１１１または隣接部材３から外れるのを確実に防止することが可能となる。この結果、ピット蓋１０１がケーブルピットＰ内に落下するのをより確実に防止することが可能となる。さらに、ピット蓋１０１の他端側が支持部材１１１と隣接部材３から外れたとしても、架設部材２が支持部材１１１間に架設されているため、架設部材２によってピット蓋１０１の落下を防止することが可能となる。
【００２８】
また、架設部材２と隣接部材３とを締結するボルト４で規制部が構成されている。つまり、ボルト４が規制部を兼ねるため、別途規制部を設ける必要がなく、簡易な構成、構造にすることが可能となる。
【００２９】
以上、この発明の実施の形態を詳述してきたが、具体的な構成はこの実施の形態に限られるものではなく、この発明の要旨を逸脱しない範囲の設計の変更等があっても、この発明に含まれる。例えば、上記の実施の形態では、ケーブルピットＰの側壁面から突出する支持部材１１１が支持部の場合について説明したが、ケーブルピットＰの上縁の外角部を内角状に切り欠いた支持部であってもよい。
【００３０】
また、架設部材２と隣接部材３とが別体である場合について説明したが、架設部と隣接部とを一体的に形成してもよい。さらに、３つ以上の架設部材２を設けてもよく、この場合、ケーブルピットＰの中央部に位置する架設部材２は、平板状とする。また、ピットがケーブルピットＰの場合について説明したが、その他のピットにも適用できることは勿論である。
【符号の説明】
【００３１】
１        ピット蓋用支持具
２        架設部材（架設部）
３        隣接部材（隣接部）
４        ボルト（締結部材、規制部）
５        ナット（締結部材）
１０１    ピット蓋
１０２    ＦＲＰ蓋（ピット蓋）
１０３    支持下駄
１１１    支持部材（支持部）
Ｐ        ケーブルピット（ピット）
【図１】
2020129871.tif 000003
【図２】
2020129871.tif 000004
【図３】
2020129871.tif 000005
【図４】
2020129871.tif 000006
【図５】
2020129871.tif 000007
【図６】
2020129871.tif 000008
【図７】
2020129871.tif 000009
【図８】
2020129871.tif 000010